(57)【要約】【課題】  電子データとして記憶しておいた画像を投影して行うプレゼンテーションにおいて、投影した画像の移動や拡大表示を資料提示装置にセットした資料を動かすことにより制御できるようにする。【解決手段】  プレゼンテーション時にプレゼンターは資料載置台１０３上に投影装置２０２から投影する資料１０３を載せる。この際、資料提示装置１０１は、資料１０３に備えたＩＣタグ１１３の識別データを読み取り、予め記憶しておいた対応する電子データをパーソナル・コンピュータ２０１から読み出し、画像投影装置２０２に送る。資料１０３を載せた資料載置台１０３をプレゼンターが手動で動かすことで、記憶しておいた画像のどの部分をどの範囲で投影表示するかを指示することができる。つまり、プレゼンテーション中に簡単な操作でプレゼンターの意図に応じたフレーミング、ズーミングが設定できる。【選択図】  図１
2005252523.tif 000002
【特許請求の範囲】
【請求項１】
資料を特定するための識別マークを付された資料が載置される資料載置台と、
前記資料載置台上に載置される資料の前記識別マークを読取って前記載置される資料を特定する資料特定装置と、
前記資料特定装置で特定された資料の画像データを画像表示装置に送る画像送出装置と、
前記特定された資料の移動を検出する位置検出装置と、
前記特定された資料の移動に応答して、前記画像データに基づく画像の表示状態を制御する画像制御装置と
を備えることを特徴とする資料提示装置。
【請求項２】
前記資料載置台は、移動可能なステージであり、
前記位置検出装置は、前記資料載置台の移動を検出することを特徴とする請求項１に記載の資料提示装置。
【請求項３】
前記位置検出装置は、前記資料載置台上における前記特定された資料の移動を検出することを特徴とする請求項１に記載の資料提示装置。
【請求項４】
前記特定された資料の移動により前記資料の特定領域が指定され、
前記画像制御装置は、前記特定領域に対応する表示範囲を前記画像データに基づいて拡大表示する制御を行うことを特徴とする請求項１〜３のいずれかに記載の資料提示装置。
【請求項５】
前記画像制御装置は、
前記特定された資料の移動に対応させて、前記画像データの表示位置を移動させる制御を行うことを特徴とする請求項１〜３のいずれかに記載の資料提示装置。
【請求項６】
前記特定領域の位置の目安となるガイド表示手段を備えることを特徴とする請求項４に記載の資料提示装置。
【請求項７】
資料載置台上に載置された資料を該資料に付された識別マークを読取ることで特定する資料特定ステップと、
特定された前記資料の画像データを検索する資料検索ステップと、
検索された前記画像データを画像表示装置に送信する送信ステップと、
特定された前記資料の移動を検出する移動検出ステップと、
前記資料の移動に応答して前記画像データに基づく画像の表示状態を制御する画像データ制御ステップと
を備えることを特徴とする資料提示方法。
【発明の詳細な説明】
【技術分野】
【０００１】
本発明は、資料の撮影画像をスクリーン等に提示してプレゼンテーション等を行う最に利用される資料提示装置に係り、提示する資料の表示位置の拡大等を行うための技術に関する。
【背景技術】
【０００２】
図表等の資料をスクリーン等に投影し、その投影画像を視聴者に見せながら、プレゼンテーションを行う方法が知られている。
【０００３】
この方法の一つとして、ＯＨＰ（オーバー・ヘッド・プロジェクタ）を用いた方法が知られている。ＯＨＰを用いた方法では、ＯＨＰ装置の台上に載せた資料を光学的な方法でスクリーン上に投影する。
【０００４】
また他の方法の一つとして、投影する資料の画像データを電子データとして得、この画像データに基づいて液晶プロジェクタ等の画像投影装置からスクリーン上に資料の画像を投影し、プレゼンテーションを行う方法が知られている。この技術は、例えば特許文献１および特許文献２に記載されている。
【０００５】
この電子データを用いる方法は、微細な画像や色彩画像を鮮明に投影表示でき、ＯＨＰを用いた方法に比較して、高画質な表示を行える優位性がある。
【０００６】
【特許文献１】特許３２０１７０７号公報
【特許文献２】特開２０００−３４１５８８号公報
【発明の開示】
【発明が解決しようとする課題】
【０００７】
プレゼンテーションにおいては、質疑応答等において、視聴者から資料の特定部分を拡大表示して欲しい旨の要求、あるいは投影画像を移動させて表示して欲しい旨の要求等が出る場合がある。
【０００８】
ＯＨＰを用いたプレゼンテーションにおいては、上述したような視聴者からの要求に対して、投影対象となっている資料をプレゼンターが手で動かすことで対応することができる。この方法は簡便であり、表示されている画像を見ながら行うことで、感覚的に操作を把握し易いという優位性がある。
【０００９】
他方で電子データを利用したプレゼンテーションにおいては、パーソナル・コンピュータを利用することで対応が可能である。すなわち、画像の編集機能を有する専用のアプリケーション・ソフトウェアをインストールしたパーソナル・コンピュータを用意し、このパーソナル・コンピュータに画像データを記憶し、このアプリケーション・ソフトウェアを用いて画像の表示状態を制御することで、上述したような要求に対する対応が可能である。
【００１０】
しかしながら、パーソナル・コンピュータを操作する方法には、以下に述べるような解決すべき課題があった。例えば、この方法においては、プレゼンターがパーソナル・コンピュータを操作しながら、質問に答える、あるいは説明を加える、といった場面が想定される。この際、プレゼンターは、説明とパーソナル・コンピュータの操作とを同時に行う必要があり、プレゼンターへの負担が大きくなる。このため、スムーズなプレゼンテーションに支障が出る場合があった。
【００１１】
また、プレゼンター以外の補助者がパーソナル・コンピュータを操作する方法もあるが、その場合は、プレゼンターの説明のタイミングと補助者によるパーソナル・コンピュータの操作のタイミングが合わない場合があり、やはりスムーズなプレゼンテーションの進行には問題があった。また、補助者が必要である点で煩雑であった。
【００１２】
本発明は、記憶しておいた画像データに基づき画像を表示する機能を有する資料提示装置において、表示する画像の一部分の拡大表示等を簡単な操作で行うことができる技術を提供することを目的とする。
【課題を解決するための手段】
【００１３】
本発明の資料提示装置は、資料を特定するための識別マークを付された資料が載置される資料載置台と、前記資料載置台上に載置される資料の前記識別マークを読取って前記載置される資料を特定する資料特定装置と、前記資料特定装置で特定された資料の画像データを画像表示装置に送る画像送出装置と、前記特定された資料の移動を検出する位置検出装置と、前記特定された資料の移動に応答して、前記画像データに基づく画像の表示状態を制御する画像制御装置とを備えることを特徴とする。
【００１４】
本発明によれば、資料載置台上に置かれた資料を特定し、この特定に利用したデータに基づき、予め記憶しておいた画像データ群の中から当該資料の画像データを検索し、この検索の結果特定された画像データを画像表示装置に送り、適当な表示手段に特定した当該資料の画像（イメージ）を表示する。そして資料を動かすと、その動きが位置検出装置によって検出され、その検出データに基づき、上述した画像データに基づく画像の表示状態が制御される。
【００１５】
資料の移動には、回転も含まれる。すなわち、資料の移動には、資料を所定の経路に沿って移動させること、資料を所定の点を中心として回転させること、および資料を所定の経路に沿って移動させつつ回転させることが含まれる。
【００１６】
表示状態の制御には、表示画像の一部分を拡大表示する制御、表示画像を表示面上において移動させる制御が含まれる。この表示画像の移動には、所定の特定画像を所定の経路に沿って移動させること、所定の特定画像を所定の点を中心として回転させること、および所定の特定画像を所定の経路に沿って移動させつつ回転させることが含まれる。
【００１７】
本発明によれば、資料載置台上に置かれた資料をプレゼンターが動かすことで、画像データに基づいて表示される画像の表示状態を制御することができる。例えば、資料載置台上に資料が置かれた状態において、プレゼンターが資料または資料載置台を動かすことで、表示されている画像の拡大表示したい表示領域が決定され、特定の表示部分を拡大表示することができる。また、同様な操作により、表示された画像を平行移動させたり、回転移動させたりすることができる。
【００１８】
このような画像表示状態の制御は、資料を実際に動かすことで行われるので、プレゼンターにとって感覚的に制御状態を把握し易い優位性がある。例えば、資料の移動に応じて、スクリーン等に表示された画像も動くので、どの程度資料を動かせば、表示画像が動くかを感覚的に把握することが容易であり、高い操作性が得られる。しかも、このような操作は、説明を加えながら行うことができるので、プレゼンテーションのスムーズな進行を妨げることがない。また、表示される画像は、電子データに基づくものなので、鮮明、高精細であり、また細かい色彩等も正確に表示することができる優位性がある。
【００１９】
本発明の資料提示装置において、資料載置台は、移動可能なステージであり、位置検出装置は、資料載置台の移動を検出する構成とすることは好ましい。この態様によれば、資料を置いた資料載置台を動かすことで、載置された資料の移動が行われる。例えば、資料載置台を台板の縦、横方向の移動および回転が自在なＸ―Ｙ―θステージとすれば、２次元平面内におけるあらゆる動きに対応することができる。
【００２０】
本発明の資料提示装置において、位置検出装置は、資料載置台上に載置され特定された資料の移動を検出する構成を有することは好ましい。この態様によれば、資料載置台上に置かれた資料の動きを検出するので、資料載置台を移動可能な構造とする必要はなく、装置の信頼性や操作性を高めることができる。
【００２１】
資料の動きを直接検出する方法としては、光学式マウス等に採用されている画像処理手段を用いることができる。例えば、載置された資料に光を照射し、この光が照射された領域をイメージセンサで撮像し、このイメージセンサの撮像画像を画像処理することで、イメージセンサに対する資料の相対的な移動を検出する方法を用いることができる。
【００２２】
本発明の資料提示装置において、特定された資料の移動により資料の特定領域が指定され、画像制御装置は、前記特定領域に対応する表示範囲を画像データに基づいて拡大表示する制御を行う構成とすることは好ましい。
【００２３】
この態様によれば、表示画像中の拡大したい表示範囲を資料提示装置に載置された資料を動かすことで指定し、その指定した範囲を拡大して表示することができる。これにより、「表示画像中の一部分を拡大したものが見たい」というような視聴者からの要求に速やかに対応することができる。
【００２４】
本発明の資料提示装置において、特定された資料の移動に対応させて、画像データの表示位置を移動させる制御を行うことは好ましい。この態様によれば、資料提示装置にセッティングされた資料の移動に対応して、例えばスクリーン上において投影された表示画像を移動させることができる。したがって、「表示画像を少し右に動かして欲しい」というような視聴者からの要求に速やかに対応することができる。
【００２５】
本発明の資料提示装置において、拡大表示する範囲を決める領域の位置の目安となるガイド表示手段を備えることは好ましい。このガイド表示手段を用いることで、表示画面を見なくても資料あるいは資料載置台を動かしながら、拡大表示する範囲の目安を把握することができ、拡大表示を行う際の操作性を向上させることができる。ガイド表示手段としては、模様や線の表示による方法、光照射により視覚的に拡大表示する範囲が認識できるようにする方法等が挙げられる。
【００２６】
本発明を利用したプレゼンテーションでは、プレゼンテーションの前にプレゼンテーションで提示する資料の画像データを電子データとして適当な記憶媒体に記憶しておく。そして、プレゼンテージョン時にその記憶した画像データを読出し、それをスクリーン等に表示し、プレゼンテーションを行う。この際、実際の資料を資料提示装置にセットし、資料に取り付けたＩＣタグ等の機能により、記憶しておいた画像データを検索し特定する。そして、資料載置台上に載置された資料との対応が特定された画像データが読出され、その画像データに基づいて画像の表示が行われる。
【００２７】
そして、資料あるいは資料載置台を動かすことで、当該資料の投影画像を動かす、あるいは拡大表示する範囲を選択する、といった操作を行うことができる。
【００２８】
したがって、本発明を利用した場合、プレゼンターは、手にした資料を資料提示装置の資料載置台上に載置し、通常のＯＨＰを用いる場合と同じ感覚でプレゼンテーションを行うことができる。つまり、実際に資料提示装置上に置いた資料の画像がその場で読取られて投影表示されている訳ではなく、予め記憶させておいた画像データを用いて資料の画像の表示を行うのであるが、あたかも資料載置台上に載置した資料がその場で読取られて画像として表示されているかのような感覚でプレゼンテーションを行うことができる。
【００２９】
本発明は、資料提示方法として把握することもできる。この場合、資料載置台上に載置された資料を該資料に付された識別マークを読取ることで特定する資料特定ステップと、特定された前記資料の画像データを検索する資料検索ステップと、検索された前記画像データを画像表示装置に送信する送信ステップと、特定された前記資料の移動を検出する移動検出ステップと、前記資料の移動に応答して前記画像データに基づく画像の表示状態を制御する画像データ制御ステップとを備えることを特徴とする資料提示方法として把握される。
【発明の効果】
【００３０】
本発明によれば、資料提示装置にセッティングした資料の動きが検出され、この資料の動きに対応して、予め記憶しておいた電子データに基づく表示画像の表示状態の制御が行われる。例えば、資料提示装置にセッティングした資料の動きに応じて、表示画面を動かす制御を行うことができる、また、例えば資料提示装置にセッティングした資料を動かすことで、表示画面中の特定の部分を指定し、その部分を拡大して表示する等の制御を行うことができる。
【００３１】
これらの制御は、実際に資料を手で動かすという感覚的に把握し易い操作により実行さされるので、高い操作性で行うことができる。また、操作が感覚的に把握し易いので、機器の操作に慣れていない人にとっても扱い易いという優位性が得られる。
【００３２】
このように本発明を採用することで、記憶しておいた画像データに基づき画像を表示する機能を有する資料提示装置において、表示する画像の一部分の拡大表示等を簡単な操作で行うことができる技術が提供される。
【発明を実施するための最良の形態】
【００３３】
１−１・第１の実施形態の構成
図１は、本発明を利用したプレゼンテーションシステムの概要を示す模式図である。図１には、本発明を利用した資料提示装置１０１、パーソナル・コンピュータ２０１、および画像投影装置２０２が示されている。
【００３４】
資料提示装置１０１は、本体１０２上に資料載置台１０３を備えている。資料載置台１０３は、Ｘ−Ｙ−θステージであり、後述する仕組みにより２次元平面内におけるＸ軸方向１０４およびＹ軸方向１０５への平行移動が可能で、さらに回転移動１０６が可能な構造となっている。図示しないプレゼンターは、資料載置台１０３に手を触れ、Ｘ軸方向１０４あるいはＹ軸方向１０５へのステージの平行移動、および回転移動１０６を自在に行うことができる。
【００３５】
パーソナル・コンピュータ２０１は、通常の汎用型のパーソナル・コンピュータであり、後述する画像データを取り扱うことができるアプリケーション・ソフトウェアがインストールされている。図１に示す態様においては、パーソナル・コンピュータ２０１を画像投影装置２０２から投影する画像の基となる画像データを記憶するハードウェアとして利用する。
【００３６】
画像投影装置２０２は、一般にプロジェクタと称される画像表示を行うための装置であり、入力された画像信号に基づき、画像を図示しないスクリーン等に投影する機能を有する。
【００３７】
図１には、資料載置台１０３上に資料１１１が載置された状態が示されている。資料１１１は、画像投影装置２０２から投影表示する任意の表示内容１１２が印刷あるいは手書きされた紙等の用紙である。表示内容１１２は、任意の図形、文字、数式あるいは写真等であり、画像として認識できるものであれば特に限定されない。
【００３８】
資料１１１の角には、資料を特定するための識別マークとして機能するＩＣタグ１１３が取り付けられている。ＩＣタグ１１３には、資料１１１を特定するための識別データが記憶されている。識別データとしては、資料毎に設定されたコード（例えば適当な数列）が挙げられる。ＩＣタグ１１３は、通勤定期券やクレジットカード、あるいは会員カード等に広く利用されている技術を利用したものである。
【００３９】
例えば、ＩＣタグ１１３は、電磁波信号の受信部、データ読出し／書き込み部、データ記憶部を備えている。ＩＣタグ１１３への情報の書き込み、および情報の読出しは、所定の規格に変調された電磁波信号を照射することで行われる。ＩＣタグは、非接触でデータの書き込み、そして読出しを行うことができる機能であれば、上述した構成に限定されない。
【００４０】
資料提示装置１０１には、カメラ１２１を取り付けることができる。カメラ１２１は、取り付け部材１２２に装着され、取り付け部材１２２を保持部１２３に差し込むことにより、資料提示装置１０１に取り付けられる。カメラ１２１は、資料提示装置１０１に適宜取り付け、あるいは取り外しができる構造となっている。
【００４１】
このような構造とすることで、資料１１１の記載内容を画像データとして記憶する作業時には、カメラ１２１を資料提示装置１０１に取り付け、プレゼンテーション時には、カメラ１２１を資料提示装置１０１から取り外すことができる。カメラ１２１を資料提示装置１０１から取り外すことで、プレゼンテーション時において、プレゼンターとスクリーン、あるいはプレゼンターと聴衆、あるいは聴衆とスクリーンとの間における視界を確保することができる。また、カメラがプレゼンテーションの障害になることを避けることができる。
【００４２】
また資料提示装置１０１は、登録ボタン１０７、読出しボタン１０８およびズームボタン１０９を備えている。登録ボタン１０７は、プレゼンテーションに先立ち、資料載置台１０３上に載置した資料１１１をカメラ１２１で撮影し、その画像データを電子データとしてパーソナル・コンピュータ２０１に記憶する作業（資料の登録作業）において使用される。
【００４３】
読出しボタン１０８は、プレゼンテーションを行う段階において、上記資料の登録作業においてパーソナル・コンピュータ２０１に記憶された画像データを読出す際に利用される。ズームボタン１０９は、画像投影装置２０２から投影表示した画像の一部分を拡大表示する際に利用される。
【００４４】
以下、資料提示装置１０１の内部構造の概略について説明する。図２は、資料提示装置の概要を示すブロック図である。図２に示すように、資料提示装置１０１は、画像取り込み装置１３１、ＩＣタグライター＆リーダ装置１３２、登録／読出し装置１３３、記憶装置１３４、画像制御装置１３５、画像送出装置１３６およびＸ−Ｙ−θ位置検出装置１３７を備えている。
【００４５】
画像取り込み装置１３１は、カメラ１２１で撮影した資料１１１の画像データを取り込み、登録／読出し装置１３３に送る。登録／読出し装置１３３は、画像取り込み装置１３１から送られてきた画像データをパーソナル・コンピュータ２０１に送り記憶させる機能、ＩＣタグライター＆リーダ装置１３２が読出したＩＣタグ１１３に記憶された識別データに基づいて、パーソナル・コンピュータ２０１から該当する画像データを検索し読出す機能、およびパーソナル・コンピュータ２０１から読出した画像データを記憶装置１３４に送る機能を有している。
【００４６】
記憶装置１３４は、登録／読出し装置１３３がパーソナル・コンピュータ２０１から読出した画像データを記憶する機能を有する。画像制御装置１３５は、記憶装置１３４に記憶された画像データを画像送出装置１３６に送る機能を有する。また、画像制御装置１３５は、画像送出装置１３６に送る画像データを処理する機能を有する。この処理には、Ｘ−Ｙ―θ位置検出装置１３７から得られる情報に基づき、画像投影装置２０２から投影する画像を平行移動させるための処理、あるいは回転移動させるための処理が含まれる。
【００４７】
Ｘ−Ｙ―θ位置検出装置１３７は、資料載置台１０３のＸ軸およびＹ軸方向への移動距離、さらに回転角の検出を行う。この検出結果は、画像制御装置１３５に送られ、上述した処理に利用される。
【００４８】
以下、資料載置台１０３におけるＸ−Ｙ―θステージ構造の原理についてその一例を説明する。図３は、Ｘ−Ｙ―θステージ構造の原理を示す概念図である。図３に示す例では、資料提示装置１０１（図１参照）の本体１０２上に資料載置台１０３が、Ｘ軸レール３０１およびＹ軸レール３０２を介して配置されている。
【００４９】
図４は、図３に示すＸ−Ｙ―θステージ構造の一部分の断面構造を示す断面図である。図４（Ａ）には、Ｘ軸レール３０１とＹ軸レール３０２との交差部分をＹ軸レール３０２の延在方向から見た断面の構造が示されている。図４（Ｂ）には、Ｘ軸レール３０１が資料提示台１０３を支持する部分をＸ軸レール３０１の延在方向から見た断面の構造が示されている。なお、図示省略されているが、Ｘ軸レール３０１は、Ｙ軸方向のみにその移動が許容された構造となっている。
【００５０】
Ｘ軸レール３０１は、Ｘ軸方向に延在する溝３０４を有し、また支持レール３０３によってＹ軸方向に移動自在な状態で支持されている。Ｙ軸レール３０２は、本体１０２に固定されており、Ｙ軸方向に延在した溝３０５を備えている。Ｘ軸レール３０１には、図４（Ａ）に示すようにロータリエンコーダ３１０が固定されており、ロータリエンコーダ３１０の軸３１１の先端にはピニオン（小歯車）３１２が取り付けられている。一方、Ｙ軸レール３０２の溝３０５の内壁にはピニオン３１２に対応する噛み合うラック（歯竿）３１３が配置されている。
【００５１】
したがって、Ｘ軸レール３０１をＹ軸レール３０２の延在方向に沿って動かすと、ピニオン３１２が回転し、その回転がロータリエンコーダ３１０により検出され、この回転に応じた電気信号をロータリエンコーダ３１０は出力する。この電気信号は、Ｘ軸レールのＹ軸方向への移動量を反映したものであり、この電気信号に基づいてＸ軸レールのＹ軸方向への移動量を算出することができる。
【００５２】
符号３０６は、Ｙ−θ位置検出ユニットである。Ｙ−θ位置検出ユニット３０６は、突起３４１がＸ軸レール３０１に形成された溝部３４２によってガイドされ、Ｘ軸レール３０１に対して、Ｘ軸方向には自在に移動可能であるが、回転はできないようになっている。また、Ｙ−θ位置検出ユニット３０６には、ロータリエンコーダ３２１と３２３とが内部に固定されている。ロータリエンコーダ３２１の回転軸３２２は、資料載置台１０３の中心部分に形成された軸孔３０８に嵌め込まれ固定されている。
【００５３】
したがって、資料載置台１０３をＹ−θ位置検出ユニット３０６に対して回転させると、ロータリエンコーダ３２１の回転軸３２２が回転し、その回転角度情報を含んだ電気信号がロータリエンコーダ３２１から出力される。この出力される電気信号を処理することで、資料載置台１０３のＹ−θ位置検出ユニット３０６に対する回転角度情報を得ることができる。
【００５４】
また、Ｙ−θ位置検出ユニット３０６に固定されたロータリエンコーダ３２３の回転軸の先端にはピニオン３２５が固定されており、このピニオン３２５は、Ｘ軸レール３０１の溝３０４の内壁に形成されたラック３２６に噛み合っている。
【００５５】
したがって、資料載置台１０３をＸ軸レール３０１に沿って、Ｘ軸方向に移動させるとピニオン３２５がラック３２６に対して回転し、その移動量に関する情報を含んだ電気信号がロータリエンコーダ３２３から出力される。
【００５６】
つまり、資料載置台１０３をＸ軸方向に動かすと、溝３０４の延在方向に沿ってＹ−θ位置検出ユニット３０６が移動し、その移動量に関する情報を含んだ電気信号がロータリエンコーダ３２３から出力される。また、資料載置台１０３をＹ軸方向に動かすと、溝３０５の延在方向に沿ってＸ軸レール３０１が移動し、その移動量に関する情報を含んだ電気信号がロータリエンコーダ３１０から出力される。また、資料載置台１０３を回転移動させると、ロータリエンコーダ３２１が回転し、その回転角度に関する情報を含んだ電気信号がロータリエンコーダ３２１から出力される。
【００５７】
各ロータリエンコーダからの電気信号は、図２に示すＸ−Ｙ−θ位置検出装置１３７に送られる。Ｘ−Ｙ−θ位置検出装置１３７では、この電気信号に基づいて、資料載置台１０３の本体１０２に対するＸ軸方向への移動量、Ｙ軸方向への移動量および回転角度を算出する。このようにして、Ｘ−Ｙ−θ位置検出装置１３７によって、資料載置台１０３の２次元平面内における動きが検出される。
【００５８】
次に本実施形態で使用する資料１１１について説明する。資料１１１としては、紙等に文書、図表、写真等が印刷されたものを使用できる。勿論手書きの文字や絵柄等であってもよい。資料の材質は特に問われず、紙以外にＯＨＰ用紙等が利用できる。
【００５９】
本実施形態においては、資料にＩＣタグを取り付け、ＩＣタグの機能により資料の識別を行う。図５は、資料へのＩＣタグの取り付け構造の一例を示す概念図である。図５（Ａ）には、資料１１１の適当な位置（この例では角）にＩＣタグ１１３を貼り付けた例が示されている。ＩＣタグ１１３は、小型でかつ薄型にできるので、接着等の適当な方法で、資料１１１の邪魔にならない適当な場所に貼り付けることができる。図５（Ｂ）に示すのは、ワイヤ等によって資料１１１にＩＣタグ１１３を取り付ける例である。
【００６０】
ＩＣタグ１１３は、資料１１１を特定するための識別データを記憶している。この識別データは、電子データであり、専用のライター＆リーダ装置によって書き込まれ、また読出される。ＩＣタグ１１３は、電磁波の照射によって情報の書き込みおよび読出しを行うことができる。これは、既に実用化されているクレジットカード、会員カード、身分証明書等の所謂ＩＣカードと同じ原理である。
【００６１】
資料の特定を行うための技術としては、ＩＣタグを用いる以外に、バーコード等を用いることができる。
【００６２】
本実施形態においは、資料１１１の画像データをパーソナル・コンピュータ２０１に記憶するが、資料提示装置１０１内にハード・ディスク装置や半導体メモリ等の記憶装置を内蔵させ、そこに資料１１１の画像データを格納してもよい。また、パーソナル・コンピュータ２０１の代わりに外付けのハード・ディスク装置や半導体メモリ装置等を利用し、そこに画像データを記憶させてもよい。
【００６３】
また、画像を表示する装置として、画像を投影表示する画像投影装置以外に、画像を直接表示する液晶表示装置、ブラウン管、プラズマディスプレイ、その他各種ディスプレイを利用することができる。
【００６４】
１−２．第１の実施形態の動作
以下、図１〜図４に示す構成を利用したプレゼンテーション手順の一例を説明する。まず、プレゼンテーションに先立ち、資料提示装置を用いてプレゼンテーションで使用する資料の画像データをパーソナル・コンピュータに記憶させる作業（資料の登録作業）を行う。
【００６５】
（資料の登録作業手順）
図６は、資料１０１（図１参照）をカメラ１２１で撮影し、その画像を画像データとしてパーソナル・コンピュータ２０１に記憶させる手順の一例を示すフローチャートである。図６のフローチャートにおいて、（使用者）と記載されている処理は、人間（例えばプレゼンター）が行う行為を示し、（制御部）と表記されている処理は、資料提示装置１０１および資料提示装置に接続された機器において行われる処理である。
【００６６】
まず、プレゼンテーションで利用する資料を作成し、各資料にＩＣタグ１１３（図５参照）を取り付ける（ステップＳ６０１）。あるいは、ＩＣタグ１１３が予め取り付けられている用紙を用いて資料１１１を作成する。
【００６７】
資料を準備したら、資料の画像データをパーソナル・コンピュータ２０１に記憶させる作業を行う。この作業においては、まずカメラ１２１を資料提示装置１０１に装着する。そして、資料提示装置１０１の資料載置台１０３（Ｘ−Ｙ−θステージ）を原点（初期基準位置）にセットする（ステップ６０２）。
【００６８】
資料載置台１０３を原点にセットしたら、用意した資料１１１を資料載置台１０３上にセットする（ステップＳ６０３）。そして、登録ボタン１０７を押し（ステップＳ６０４）、資料載置台１０３上に載置かれた資料１１１をカメラ１２１によって撮影する（ステップＳ６０５）。撮影された画像は、電子データとしてパーソナル・コンピュータ２０１に記憶される（ステップＳ６０６）。
【００６９】
すなわち、図２に示す構成において、登録ボタン１０７が押されると、登録ボタン１０７からの信号がカメラ１２１に伝わり、資料１１１の撮影が行われる。撮影された画像はカメラ１２１から画像データとして出力され、画像取り込み装置１３１によって取り込まれ、登録／読出し装置１３３を経てパーソナル・コンピュータ２０１に送られる。パーソナル・コンピュータ２０１は、送られてきた画像データを自身のハード・ディスク装置等の適当な記憶装置に記憶保存する（ステップＳ６０６）。
【００７０】
さらにＩＣタグライター＆リーダ装置１３２の機能により、資料１１１を識別するための識別データがＩＣタグ１１３に書き込まれる（ステップＳ６０７）。
【００７１】
またこのＩＣタグ１１３に書き込まれた識別データは、登録／読出し装置１３３を経由してパーソナル・コンピュータ２０１に送られ、記憶保存される（ステップ６０８）。この際、登録／読出し装置１３３は、ステップＳ６０６において記憶させた画像データに関連づけさせて上記識別データをパーソナル・コンピュータ２０１に記憶させる。
【００７２】
さらに登録する資料がある場合は、ステップＳ６０３以降の手順が繰り返されて、資料の登録作業が繰り返し行われる。以上のようにして、プレゼンテーション時に投影表示する資料の画像データをパーソナル・コンピュータ２０１に記憶させる。
【００７３】
なお、資料の電子データが既にある場合やパーソナル・コンピュータ２０１を用いて資料を作成した場合、上述した登録作業は必要ではない。
【００７４】
（プレゼンテーション時の作業手順）
次にプレゼンテーション時における作業手順について説明する。図７は、プレゼンテーション時における作業手順を示すフローチャートである。まず、プレゼンテーションの前にカメラ１２１を取り付け部材１２２と共に、資料提示装置１０２から取り外す（ステップＳ７０１）。カメラ７０１と取付け部材１２２を取り外すことで、プレゼンテーション時にカメラが邪魔になる不都合の発生を防止できる。
【００７５】
そしてプレゼンターは、資料載置台１０３を原点にセット（ステップＳ７０２）し、さらに資料１１１を資料載置台１０３にセットする（ステップＳ７０３）。この際、図示しない位置決め用表示を利用して、資料載置台１０３の所定の位置に資料１１１をセットする。
【００７６】
資料をセットしたら、読出しボタン１０８を押す（ステップＳ７０４）。読出しボタン１０８が押されると、ステージ位置情報が原点にセットされる（ステップＳ７０５）。ステップＳ７０５では、画像の投影位置がスクリーンの中央等の初期設定位置になるように表示位置制御の初期化が行われる。
【００７７】
さらに資料載置台１０３上に置かれた資料１１１のＩＣタグ１１３から、資料を特定するための識別データが読み出される（ステップＳ７０６）。この識別データは、ＩＣタグライター＆リーダ装置１３２によって読出され、登録／読出し装置１３３に送られる。登録／読出し装置１３３は、この読出した識別データに基づいて、パーソナル・コンピュータ２０１中から対応する画像データ（予め記憶させておいた資料１１１の画像データ）を検索する（ステップＳ７０７）。
【００７８】
パーソナル・コンピュータ２０１には、資料１１１の画像データとＩＣタグ１１３に書き込まれた識別データとが関連づけされて記憶されているので、ＩＣタグ１１３に書き込まれている識別データが分かれば、資料１１１の画像データをパーソナル・コンピュータ２０１中から検索することができる。
【００７９】
資料載置台１０３上にセットされた資料１１１の画像データが検索された後、その画像データは登録／読出し装置１３３によってパーソナル・コンピュータ２０１から読出され、記憶装置１３４に記憶される。
【００８０】
記憶装置１３４に記憶された画像データは、画像送出装置１３６に送られ、さらに画像送出装置１３６から画像投影装置２０２に画像信号として送られる（ステップＳ７０８）。こうして、資料載置台１０３上にセットした資料１１１の画像が画像投影装置２０２から投影される。
【００８１】
ここで、プレゼンターがズームボタン１０９を押すと（ステップＳ７０９）、投影表示されている資料１１１の画像の所定の範囲の部分が拡大表示される。すなわち、ズームボタン１０９が押されると（ステップＳ７０９）、画像制御装置１３５に信号が送られる。この信号を受けて、画像制御装置１３５は、記憶装置１３４から読出し、画像送出装置１３６を経由して画像投影装置２０２に送っている画像データに対して、表示している画像の特定の範囲を拡大して表示させる処理を加える。こうして、図示しないスクリーン上に投影されている画像中の所定の範囲が拡大表示される。
【００８２】
図８は、拡大表示する範囲について説明する概念図である。図８には、資料提示装置本体１０２に対して相対的に固定された状態で設定された四角形の領域８０１が示されている。この領域８０１により、拡大表示を行う範囲が決められる。
【００８３】
例えば、図８（Ａ）の状態において、ズームボタン１０９を押すと、四角形の領域８０１に対応する表示画像中の領域の拡大表示が行われる。この状態で、プレゼンターが資料載置台１０３を動かすと（ステップＳ７１１）、その動きがＸ−Ｙ−θ位置検出装置１３７によって検出され（ステップＳ７１２）、画像制御装置１３５において、拡大表示されている範囲の変更処理が行われ（ステップＳ７１３）、変更された画像データが画像送出装置１３６から資料提示装置２０２に送られる（ステップＳ７１４）。
【００８４】
例えば、図８（Ａ）に示す状態において、ズームボタン１０９を押した場合を考える。この場合、資料１１１の領域８０１に重なる領域に対応する表示画像中の領域が拡大表示される。つまり、資料１１１の中央付近の四角に切り取られた範囲が拡大表示される。
【００８５】
次に図８（Ａ）の状態から資料載置台１０３を左上斜め方向に平行移動させた場合を考える。この場合、拡大表示が行われる範囲８０１と資料１１１との位置関係は、図８（Ａ）の状態から図８（Ｂ）の状態に移行する。
【００８６】
拡大表示が行われる範囲８０１は、資料提示装置の本体１０２に対して相対的に位置が固定されている。したがって、資料載置台１０３を図８（Ａ）から図８（Ｂ）に示す状態に動かすことで、拡大表示が行われる範囲８０１は、載置した資料１１１の右下部分に移動することになる。
【００８７】
画像制御装置１３５は、Ｘ−Ｙ−θ位置検出装置１３７の機能により、上述した拡大表示する範囲８０１と資料１１１との相対的な位置関係の変化を検出し（ステップＳ７１２）、その検出結果に基づいて資料１１１における拡大表示する範囲を変更する制御を行う（ステップＳ７１３）。こうして例えば、図８（Ｂ）に示すように、資料１１１の右下部分の四角に切り取られた領域（符号８０１の領域と重なる範囲）が拡大表示される。
【００８８】
この処理は、Ｘ−Ｙ−θ位置検出装置１３７からの信号を受けた画像制御装置１３５が、記憶装置１３４に記憶されている資料１１１の画像データを読出し、この画像データに対して電子的に画像処理を施すことで行われる。
【００８９】
こうしてプレゼンターは、手動により資料載置台１０３を動かすことで、資料１１１と拡大表示を行う範囲８０１との間の相対的な位置関係を変更し、それにより資料１１１の拡大表示する範囲を制御することができる。
【００９０】
図８（Ｃ）は、資料１１１の左下部分を拡大表示するように、資料載置台１０３を右上方向に動かした場合の例である。図８（Ｄ）は、資料１１１の左上部分を拡大表示するように、資料載置台１０３を右下方向に動かした場合の例である。図８（Ｅ）は、資料１１１の右上部分を拡大表示するように、資料載置台１０３を左下方向に動かした場合の例である。
【００９１】
ステップＳ７１１における資料載置台１０３の移動には、図８（Ｂ）〜（Ｅ）に示すような平行移動のみではなく、図８（Ｆ）に示すような回転移動も含まれる。図８（Ｆ）には、拡大表示する範囲８０１によって切り取られる資料１１１の一部分が拡大表示され、さらにその部分の表示を回転させる場合の例が示されている。
【００９２】
この処理においても資料載置台１０３の回転移動がＸ−Ｙ−θ位置検出装置１３７によって検出され、その検出結果を受けて画像制御装置１３５が記憶装置１３４に記憶されている資料１１１の画像データを画像処理し、投影されている表示を回転させる処理を行う。
【００９３】
ここで、資料１１１の投影画像の一部分を拡大し、その拡大した部分の表示を回転させる例を説明したが、単に投影画像を回転させることもできる。この場合は、ズームボタン１０９を押さずに資料載置台１０３を回転させればよい。
【００９４】
また上述した例では、ズームボタン１０９を押し、その後に資料載置台１０３を動かし、拡大表示している部分を動かす操作例を説明したが、資料載置台１０３を動かした後にズームボタン１０９を押す操作を行うこともできる。この場合、投影画像が図示しないスクリーン上で移動し、その後に資料１１１における拡大表示する範囲８０１と重なる部分が拡大表示される。
【００９５】
また、ズームボタン１０９を押さずに、資料載置台１０３を動かしただけの場合、資料載置台１０３の動きに応じて、図示しないスクリーン上に投影した画像を移動させることができる。
【００９６】
本実施形態においては、資料提示装置の本体１０２に、拡大表示する範囲８０１の位置の目安を与えるガイド表示８０２（図８参照）が表示されている。資料載置台１０３を動かすと、図８（Ｂ）〜（Ｆ）に示すように資料載置台１０３が本体１０２に対して相対的に移動し、本体１０２上のガイド表示８０２が現れる。このガイド表示８０２を参照することで、プレゼンターは、資料１１１に対する拡大表示される範囲８０１の位置関係を把握することが容易となる。
【００９７】
以上述べたように、本実施形態によれば、プレゼンテーションで投影表示する資料を予め撮影し、その画像データを識別データと共にパーソナル・コンピュータ２０１に記憶させておく。
【００９８】
そしてプレゼンテーション時において、プレゼンターは、資料載置台１０３上に画像投影装置２０２から投影させたい資料１１１をセットする。この際、資料提示装置１０１は、資料１１１に備えたＩＣタグ１１３の識別データを読み取り、対応する画像データをパーソナル・コンピュータ２０１から読み出し、画像投影装置２０２に送る。こうして、資料載置台１０３上に載置した資料１１１の画像が画像投影装置２０２から投影される。
【００９９】
また、プレゼンテーションの最中において、資料１１１を載せた資料載置台１０３をプレゼンターが手動で動かすことで、投影表示している画像のどの部分をどの範囲で投影表示するかを決めることができる。つまり、プレゼンテーション中に簡単な操作でプレゼンターの意図に応じたフレーミング、ズーミングが設定される。
【０１００】
このようなプレゼンターによる操作は、ＯＨＰを用いたプレゼンテーション時と同様な感覚で行うことができ、プレゼンターへの負担が軽く、また簡単であるという優位性がある。特に、資料載置台上に載せた資料を動かすことで、拡大表示する範囲を決め、あるいは表示された画像の移動や回転を行うことができる点は、感覚的に操作内容を把握し易い優位性がある。
【０１０１】
２．第２の実施形態
本実施形態は、資料載置台を動かすのではなく、資料載置台に対して資料載置台上に載置された資料を動かし、その動きを光学的に検出する場合の例である。
【０１０２】
図９は、資料提示装置の他の一例を示すブロック図である。図９には、資料提示装置９０１、パーソナル・コンピュータ２０１および画像投影装置２０２が示されている。パーソナル・コンピュータ２０１と画像投影装置２０２は、図１および図２において説明したものと同じである。
【０１０３】
資料提示装置９０１は、資料９１１を載置するための資料載置台９０３、登録ボタン９０７、読出しボタン９０８、ズームボタン９０９、ＩＣタグ９１３、カメラ９２１、画像取り込み装置９３１、ＩＣタグライター＆リーダ装置９３２、登録／読出し装置９３３、記憶装置９３４、画像制御装置９３５、画像送出装置９３６およびＸ−Ｙ−θ位置検出装置９３７を備えている。
【０１０４】
資料載置台９０３は、図１に示す例の場合と異なり、移動可能構造ではなく、図示しない資料提示装置９０１の本体に固定されている。Ｘ−Ｙ−θ位置検出装置９３７は、光照射装置９５１、イメージセンサ９５２、制御回路９５３および演算回路９５４を備えている。Ｘ−Ｙ−θ位置検出装置９３７は、画像処理技術を利用して資料載置台９０３上における資料９１１の動きを検出する機能を有する。なお、資料載置台９０３およびＸ−Ｙ−θ位置検出装置９３７以外の構成要素は、図２に示すものと同じであるので説明を省略する。
【０１０５】
以下、Ｘ−Ｙ−θ位置検出装置９３７の動作について説明する。光照射装置９５１はＬＥＤ等の発光素子を備え、資料９１１の裏面側の適当な場所に光を照射する。イメージセンサ９５２は、資料９１１の光照射が行われた部分を撮像する。撮像は、制御回路９５３から発生されるクロック周波数に従って繰り返し行われる。演算装置９５４は、イメージセンサ９５２で繰り返し撮像される画像を解析し、資料の移動を算出する。
【０１０６】
以下、画像の解析方法について説明する。演算回路９５４は、所定の時間間隔をおいてイメージセンサ９５２から送られてくる撮像画像を比較し、その比較から画像の移動を検出する。すなわち、資料９１１が資料載置台９０３上において動かされた場合、イメージセンサ９５２が所定のサンプリング間隔で撮像している画像にズレが生じる。このズレを解析することで、資料の平行移動および回転移動を検出することができる。
【０１０７】
こうして、資料載置台９０３上において資料９１１を動かすと、その動きがＸ−Ｙ−θ位置検出装置９３７において光学的に検出され、その結果が画像制御装置９３５に送られる。
【０１０８】
なお、画像制御装置９３５で行われる処理内容は、第１の実施形態の場合と同じである。また資料提示装置９０１の操作方法も第１の実施形態において示した資料提示装置１０１と同じである。
【産業上の利用可能性】
【０１０９】
本発明は、資料を画像として表示する資料提示装置に利用することができる。
【図面の簡単な説明】
【０１１０】
【図１】発明を利用したプレゼンテーションシステムの概要を示す模式図である。
【図２】発明を利用した資料提示装置の概要を示すブロック図である。
【図３】Ｘ−Ｙ−θステージの一例を示す概念図である。
【図４】Ｘ−Ｙ−θステージの一部分の断面構造を示す断面図である。
【図５】資料へのＩＣタグの取り付け例を示す概念図である。
【図６】資料提示装置への資料の登録作業の手順を示すフローチャートである。
【図７】資料提示装置の操作手順を示すフローチャートである。
【図８】資料載置台の動きと拡大表示が行われる範囲の関係を示す概念図である。
【図９】発明を利用した他の資料提示装置の概要を示すブロック図である。
【符号の説明】
【０１１１】
１０１…資料提示装置、１０２…資料提示装置の本体、１０３…資料載置台、１０４…Ｘ軸の移動方向、１０５…Ｙ軸の移動方向、１０６…回転方向、１０７…登録ボタン、１０８…読出しボタン、１０９…ズームボタン、１１１…資料、１１２…資料の表示内容、１１３…ＩＣタグ、１２１…カメラ、１２２…取り付け部材、１２３…保持部、１３１…画像取り込み装置、１３２…ＩＣタグライター＆リーダ装置、１３３…登録／読出し装置、１３４…記憶装置、１３５…画像制御装置、１３６…画像送出装置、１３７…Ｘ−Ｙ−θ位置検出装置、２０１…パーソナル・コンピュータ、２０２…画像投影装置、３０１…Ｘ軸レール、３０２…Ｙ軸レール、３０３…支持レール、３０４…Ｘ軸レールに設けられた溝、３０５…Ｙ軸レールに設けられた溝、３０６…Ｙ−θ位置検出ユニット、３０８…軸孔、３１０…ロータリエンコーダ、３１１…ロータリエンコーダの回転軸、３１２…ピニオン、３１３…ラック、３２１…ロータリエンコーダ、３２２…ロータリエンコーダの回転軸、３２３…ロータリエンコーダ、３２４…ロータリエンコーダの回転軸、３２５…ピニオン、３２６…ラック、３４１…突起、３４２…溝部、８０１…拡大表示が行われる範囲、８０２…ガイド表示、９０１…資料提示装置、９０３…資料載置台、９０７…登録ボタン、９０８…読出しボタン、９０９…ズームボタン、９２１…カメラ、９３１…画像取り込み装置、９３２…ＩＣタグライター＆リーダ、９３３…登録／読出し装置、９３４…記憶装置、９３５…画像制御装置、９３６…画像送出装置。
【図１】
2005252523.tif 000003
【図２】
2005252523.tif 000004
【図３】
2005252523.tif 000005
【図４】
2005252523.tif 000006
【図５】
2005252523.tif 000007
【図６】
2005252523.tif 000008
【図７】
2005252523.tif 000009
【図８】
2005252523.tif 000010
【図９】
2005252523.tif 000011